【手続補正書】
【提出日】平成17年5月10日(2005.5.10)
【手続補正１】
【補正対象書類名】明細書
【補正対象項目名】発明の名称
【補正方法】変更
【補正の内容】
【発明の名称】情報記録方法、情報記録装置及び情報再生装置
【手続補正２】
【補正対象書類名】明細書
【補正対象項目名】特許請求の範囲
【補正方法】変更
【補正の内容】
【特許請求の範囲】
【請求項１】
コンテンツ情報と、前記コンテンツ情報を利用するために用いられる利用情報とを結合して、結合データを生成するステップと、
前記コンテンツ情報と前記利用情報とが不可分となるように、前記結合データを暗号化するステップと、
暗号化された結合データを記録媒体に記録するステップと、
を有する情報記録方法。
【請求項２】
コンテンツ情報の一部と、前記コンテンツ情報を利用するために用いられる利用情報とを結合して、結合データを生成するステップと、
前記コンテンツ情報の一部と前記利用情報とが不可分となるように、前記結合データを暗号化するステップと、
前記コンテンツ情報のうちの残りのコンテンツ情報と、暗号化された結合データとを記録媒体に記録するステップと、
を有することを特徴とする情報記録方法。
【請求項３】
暗号化されたコンテンツ情報を復号するための情報と、前記コンテンツ情報を利用するために用いられる利用情報とを結合して、結合データを生成するステップと、
前記暗号化されたコンテンツ情報を復号するための情報と前記利用情報とが不可分となるように、前記結合データを暗号化するステップと、
暗号化された結合データと前記暗号化されたコンテンツ情報とを記録媒体に記録するステップと、
を有する情報記録方法。
【請求項４】
前記コンテンツ情報は課金対象情報を含むことを特徴とする請求項１、２及び３のうちのいずれか１つに記載の情報記録方法。
【請求項５】
前記利用情報は、ライセンス条件を含むことを特徴とする請求項１、２及び３のうちのいずれか１つに記載の情報記録方法。
【請求項６】
前記ライセンス条件は、前記コンテンツ情報の利用期限を含むことを特徴とする請求項５記載の情報記録方法。
【請求項７】
前記ライセンス条件は、該ライセンス条件の記録時刻を含むことを特徴とする請求項５記載の情報記録方法。
【請求項８】
前記ライセンス条件は、前記コンテンツ情報を識別するためのコンテンツＩＤを含むことを特徴とする請求項５記載の情報記録方法。
【請求項９】
前記ライセンス条件は、前記記録媒体を識別するためのメディアＩＤを含むことを特徴とする請求項５記載の情報記録方法。
【請求項１０】
前記ライセンス条件は、前記記録媒体に記録されたコンテンツ情報を復号する復号装置を識別するための復号ユニットＩＤを含むことを特徴とする請求項５記載の情報記録方法。
【請求項１１】
コンテンツ情報と、該コンテンツ情報を利用するために用いられる利用情報を記録媒体に記録する情報記録装置であって、
前記コンテンツ情報と前記利用情報とを結合して結合データを生成し、前記コンテンツ情報と前記利用情報とが不可分となるように、前記結合データを暗号化する暗号化手段と、
前記利用情報を前記暗号化手段に入力する入力手段と、
暗号化された結合データを前記記録媒体に記録する記録手段と、
を具備したことを特徴とする情報記録装置。
【請求項１２】
コンテンツ情報と、該コンテンツ情報を利用するために用いられる利用情報を記録媒体に記録する情報記録装置であって、
コンテンツ情報の一部と前記利用情報とを結合して結合データを生成し、前記コンテンツ情報の一部と前記利用情報とが不可分となるように、前記結合データを暗号化する暗号化手段と、
前記利用情報を前記暗号化手段に入力する入力手段と、
前記コンテンツ情報のうちの残りのコンテンツ情報と、暗号化された結合データとを前記記録媒体に記録する記録手段と、
を具備したことを特徴とする情報記録装置。
【請求項１３】
コンテンツ情報と、該コンテンツ情報を利用するために用いられる利用情報を記録媒体に記録する情報記録装置であって、
暗号化されたコンテンツ情報を復号するための情報と前記利用情報とを結合して、結合データを生成し、前記暗号化されたコンテンツ情報を復号するための情報と前記利用情報とが不可分となるように、前記結合データを暗号化する暗号化手段と、
暗号化された結合データと前記暗号化されたコンテンツ情報とを前記記録媒体に記録する記録手段と、
を具備したことを特徴とする情報記録装置。
【請求項１４】
前記コンテンツ情報は課金対象情報を含むことを特徴とする請求項１１、１２及び１３のうちのいずれか１つに記載の情報記録装置。
【請求項１５】
前記入力手段は、ライセンス条件を入力する条件入力手段を含み、前記利用情報は前記ライセンス条件を含むことを特徴とする請求項１１、１２及び１３のうちのいずれか１つに記載の情報記録装置。
【請求項１６】
前記ライセンス条件は、前記コンテンツ情報の利用期限を含むことを特徴とする請求項１５記載の情報記録装置。
【請求項１７】
前記ライセンス条件は、該ライセンス情報の書き込み時刻を含むことを特徴とする請求項１５記載の情報記録装置。
【請求項１８】
前記ライセンス条件は、前記コンテンツ情報を識別するためのコンテンツＩＤを含むことを特徴とする請求項１５記載の情報記録装置。
【請求項１９】
前記ライセンス条件は、前記記録媒体を識別するためのメディアＩＤを含むことを特徴とする請求項１５記載の情報記録装置。
【請求項２０】
前記ライセンス条件は、前記記録媒体に記録されたコンテンツ情報を復号する復号装置を識別するための復号ユニットＩＤを含むことを特徴とする請求項１５記載の情報記録装置。
【請求項２１】
前記記録媒体は、ＤＶＤ−ＲＡＭ、ＤＶＤ−ＲＯＭ及びハードディスクのうちのいずれか１つであることを特徴とする請求項１１、１２及び１３のうちのいずれか１つに記載の情報記録装置。
【請求項２２】
暗号化されたコンテンツ情報を復号するための情報と、前記コンテンツ情報を利用するために用いられるライセンス情報とを結合して、該暗号化されたコンテンツ情報を復号するための情報と該ライセンス情報とが不可分となるように暗号化された暗号化データと、前記暗号化されたコンテンツ情報とを含む記録データが記録された記録媒体から前記記録データを読み出す読出手段と、
前記暗号化データを復号するための鍵情報を記憶する記憶手段と、
前記鍵情報を用いて、前記暗号化データを復号する第１の復号手段と、
前記第１の復号手段で復号された前記ライセンス情報に基づき前記コンテンツ情報の利用の可否を判定する判定手段と、
前記判定手段で前記コンテンツ情報の利用が可能と判定されたとき、前記第１の復号手段で復号された前記暗号化されたコンテンツ情報を復号するための情報を用いて前記記録データに含まれる前記暗号化されたコンテンツ情報を復号する第２の復号手段と、
を具備したことを特徴とする情報再生装置。
【請求項２３】
時刻を計測する時計手段をさらに含み、
前記ライセンス情報は、前記コンテンツ情報の利用期限及び該ライセンス情報の記録時刻を含み、
前記判定手段は、少なくとも、前記時計手段が示す現在時刻が前記利用期限以前であり、且つ、前記現在時刻が前記ライセンス情報の記録時刻以後であるとき、前記コンテンツ情報の利用が可能と判定することを特徴とする請求項２２記載の情報再生装置。
【請求項２４】
前記時計手段が示す時刻の最大遅れ誤差及び最大進み誤差を計算する誤差計算手段をさらに具備し、
前記判定手段は、少なくとも、前記時計手段が示す現在時刻が前記利用期限に前記最大進み誤差を加算した結果得られる時刻以前であり、且つ、前記現在時刻が前記ライセンス情報の記録時刻から前記最大遅れ誤差を差し引いた結果得られる時刻以後であるとき、前記コンテンツ情報の利用が可能と判定することを特徴とする請求項２３記載の情報再生装置。